(57)【要約】【課題】  電子番組表の表示において、所望の番組欄を目立つようにすることが課題になっていた。【解決手段】  実施形態の映像出力装置は、放送を受信し、受信した放送から電子番組表の構成情報と前記電子番組表に表示される第１の番組のＵＲＩ情報を取得するＵＲＩ情報取得部を備える。  また、前記取得されたＵＲＩ情報を用い、インターネットを介して前記第１の番組の電子番組表表示情報を取得する電子番組表表示情報取得部を備える。  また、前記取得された前記電子番組表の構成情報と前記第１の番組の電子番組表表示情報を用いて作成された電子番組表を出力する電子番組表出力部を備える。【選択図】  図６
2013131863.tif 000002
【特許請求の範囲】
【請求項１】
放送を受信し、受信した放送から電子番組表の構成情報と前記電子番組表に表示される第１の番組のＵＲＩ情報を取得するＵＲＩ情報取得部と、
前記取得されたＵＲＩ情報を用い、インターネットを介して前記第１の番組の電子番組表表示情報を取得する電子番組表表示情報取得部と、
前記取得された前記電子番組表の構成情報と前記第１の番組の電子番組表表示情報を用いて作成された電子番組表を出力する電子番組表出力部を備える映像出力装置。
【請求項２】
前記第１の番組の電子番組表表示情報は、前記第１の番組の番組欄が目立つように表示する情報である請求項１に記載の映像出力装置。
【請求項３】
前記第１の番組の番組欄が目立つように表示する情報は、第１の表示と第２の表示を交互に繰り返して表示する請求項２に記載の映像出力装置。
【請求項４】
前記出力された電子番組表を表示する表示部を備える請求項１に記載の映像出力装置。
【請求項５】
前記ＵＲＩ情報は、インターネット上のアドレスである請求項１に記載の映像出力装置。
【請求項６】
前記第１の番組は、提供番組を含む請求項１に記載の映像出力装置。
【請求項７】
前記放送は前記第１の番組のＵＲＩ情報を含む請求項１に記載の映像出力装置。
【請求項８】
前記電子番組表の表示を設定可能な入力画面表示を出力する請求項１に記載の映像出力装置。
【請求項９】
放送を受信し、受信した放送から電子番組表の構成情報と前記電子番組表に表示される第１の番組のＵＲＩ情報を取得するステップと、
前記取得されたＵＲＩ情報を用い、インターネットを介して前記第１の番組の電子番組表表示情報を取得するステップと、
前記取得された前記電子番組表の構成情報と前記第１の番組の電子番組表表示情報を用いて作成された電子番組表を出力するステップを備える映像出力方法。
【請求項１０】
放送を受信し、受信した放送から電子番組表の構成情報と前記電子番組表に表示される第１の番組のＵＲＩ情報を取得するステップと、
前記取得されたＵＲＩ情報を用い、インターネットを介して前記第１の番組の電子番組表表示情報を取得するステップと、
前記取得された前記電子番組表の構成情報と前記第１の番組の電子番組表表示情報を用いて作成された電子番組表を出力するステップを備え、映像出力装置を制御する映像出力装置の制御プログラム。
【発明の詳細な説明】
【技術分野】
【０００１】
本発明の実施形態は、映像出力装置、映像出力方法、映像出力装置の制御プログラムに関する。
【背景技術】
【０００２】
近年、電子番組表（Ｅｌｅｃｔｒｏｎｉｃ  Ｐｒｏｇｒａｍ  Ｇｕｉｄｅ、またはＥＰＧ）を表示可能な映像出力装置が普及している。
【０００３】
これらの映像出力装置は、例えば、放送から取得した電子番組表構成情報（番組情報等）を用い、電子番組表を作成し、出力する。
【０００４】
しかし、電子番組表で表示される番組の番組欄の大きさは、例えば、放送時間の長さに応じて異なっている。
【０００５】
このため、例えば、ユーザの所望の番組の放送時間が短い場合に、放送時間が短い番組は番組欄が小さく表示されたり、あるいは、放送時間が長い番組の番組欄に隠れてしまったりして、目立ちにくいという問題があった。
【０００６】
このため、電子番組表の表示において、所望の番組欄を目立つようにすることが課題になっていた。
【先行技術文献】
【特許文献】
【０００７】
【特許文献１】特許第４２５７３７２号公報
【発明の概要】
【発明が解決しようとする課題】
【０００８】
電子番組表の表示において、所望の番組欄を目立つようにすることが課題になっていた。
【課題を解決するための手段】
【０００９】
実施形態の映像出力装置は、放送を受信し、受信した放送から電子番組表の構成情報と前記電子番組表に表示される第１の番組のＵＲＩ情報を取得するＵＲＩ情報取得部を備える。
【００１０】
また、前記取得されたＵＲＩ情報を用い、インターネットを介して前記第１の番組の電子番組表表示情報を取得する電子番組表表示情報取得部を備える。
【００１１】
また、前記取得された前記電子番組表の構成情報と前記第１の番組の電子番組表表示情報を用いて作成された電子番組表を出力する電子番組表出力部を備える。
【図面の簡単な説明】
【００１２】
【図１】実施形態に係わる映像出力装置の外観を示す図。
【図２】実施形態に係わる映像出力装置の構成の一例を示すブロック図。
【図３】実施形態に係わる映像出力装置の構成を示す図。
【図４】実施形態に係わる映像出力装置において、放送から取得される提供番組情報の一例を示す図。
【図５】実施形態に係わる映像出力装置において、ＵＲＩから取得される提供情報詳細の一例を示す図。
【図６】実施形態に係わる映像出力装置から出力される電子番組表の表示例を示す図。
【図７】実施形態に係わる映像出力装置から出力表示される、電子番組表の表示を設定可能な入力画面表示の一例を示す図。
【図８】実施形態に係わる映像出力装置の動作を説明するフローチャート。
【発明を実施するための形態】
【００１３】
以下、図面を参照し、実施の形態を説明する。
【００１４】
図１は、実施形態に係わる映像出力装置の外観を示す図である。
【００１５】
図１に示すように、映像出力装置１は、例えば、放送を受信し、受信した放送から、番組情報等の電子番組表構成情報（後述）を取得する。
【００１６】
そして、取得された電子番組表構成情報を用いて電子番組表（ＥＰＧ）１００を作成し、表示画面８に出力する。
【００１７】
一般に、電子番組表（ＥＰＧ）１００に表示される番組の番組欄の大きさは、例えば、放送時間の長さに応じて異なっている。
【００１８】
また、ここでは、映像出力装置１は、外部記録機器１９が接続されており、映像出力装置１で受信された放送を録画することが可能である。
【００１９】
ユーザは、例えば、リモートコントローラ（リモコン）２１を操作し、映像出力装置１の動作を指示する。
【００２０】
なお、ここでは、映像出力装置１が表示画面８を構成する例を用いて説明を行うが、チューナ内蔵ハードディスクレコーダやＳＴＢ（セットトップボックス）等のように、映像出力装置１は、表示画面８を別体で構成することも可能である。
【００２１】
図２は、実施形態に係わる映像出力装置の構成の一例を示すブロック図である。
【００２２】
この実施形態においては、制御部１１はＣＰＵ１２を備えている。
【００２３】
このＣＰＵ１２は映像出力装置１を制御する。また、ＲＡＭ（１３）、ＲＯＭ（１４）、フラッシュメモリ１５は、例えば、制御部１１で行われる処理に利用される。
【００２４】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００２５】
信号処理部４で受信されたデジタル信号の映像コンテンツは信号処理が施され、音声処理部６および映像処理部５に送信される。
【００２６】
音声処理部６は、信号処理が施された映像コンテンツを受信し、音声処理を施した信号をスピーカ９に送信する。
【００２７】
スピーカ９は、音声処理が施された信号を受信し、音声を出力する。
【００２８】
また、映像処理部５は、信号処理が施された映像コンテンツを受信し、映像処理を施した信号を表示装置７に送信する。
【００２９】
表示装置７は、映像処理が施された信号を受信し、ＬＣＤパネル等で構成される表示画面（映像表示部）８に映像を表示する。
【００３０】
また、この実施の形態においては、映像出力装置１は内部記憶装置１７を備えている。この内部記憶装置１７は、上記外部記録機器１９と同様に、例えば、他の映像表示装置（相手方）１０１から送信され、映像出力装置１で受信されたテレビ電話通信の映像コンテンツ（映像および音声）を録画することが可能である。この内部記憶装置１７は、上記受信された映像コンテンツを記録することが可能である。
【００３１】
また、この実施の形態においては、映像出力装置１は、上記のようにＵＳＢ接続やＬＡＮ接続される外部記憶機器１９を備えている。上記受信された映像コンテンツはこの外部記憶機器１９に記録することも可能である。
【００３２】
また、上記のように、映像出力装置１に対するユーザの操作は、例えばリモコン（リモートコントローラ）２１等の操作機器によって指示される。
【００３３】
これらの処理は、上記のように、制御部１１に制御される。
【００３４】
また、この実施の形態においては、映像出力装置１は、上記のように、チューナ３を介して放送を受信する。
【００３５】
そして、受信した放送から電子番組表（ＥＰＧ）１００の構成情報と電子番組表（ＥＰＧ）１００に表示される第１の番組のＵＲＩ情報を取得する。
【００３６】
ここで、ＵＲＩの説明をする。
【００３７】
ＵＲＩ（Ｕｎｉｆｏｒｍ  Ｒｅｓｏｕｒｃｅ  Ｉｄｅｎｔｉｆｉｅｒ）は、インターネット上に存在する情報の場所を示す記述方式である。
【００３８】
ＵＲＩは、インターネットにおける情報のアドレス（住所）である。
【００３９】
また、ＵＲＩの他に、ＵＲＬ（Ｕｎｉｆｏｒｍ  Ｒｅｓｏｕｒｃｅ  Ｌｏｃａｔｏｒ）があるが、ＵＲＬは、ＵＲＩと同様に、インターネット上に存在する情報の場所を示す記述方式であり、インターネットにおける情報のアドレス（住所）である。
【００４０】
ＵＲＬは、情報の種類やサーバ名、ポート番号、フォルダ名、ファイル名などで構成される。
【００４１】
なお、ＵＲＩは包括的な概念であり、現在インターネットで広く用いられているＵＲＬはＵＲＩの機能の一部を具体的に仕様化したものであり、ここでは、同義語として使用する。
【００４２】
この電子番組表（ＥＰＧ）１００の構成情報は、例えば、放送局から放送波に載せて公表（放送により送信）される。
【００４３】
一般に、電子番組表（ＥＰＧ）１００の構成情報には、例えば、番組の名前、番組の開始・終了時刻等が記載されている。
【００４４】
また、この実施形態においては、番組のスポンサーの名前、番組のスポンサーや電子番組表（ＥＰＧ）１００の表示形態を指示するＵＲＩ情報、出演者等の情報が記載されている。
【００４５】
電子番組表（ＥＰＧ）１００の情報は、例えば、一週間分の放送予定の情報が放送される。
【００４６】
すなわち、この実施形態においては、上記取得されたＵＲＩ情報を用い、ネットワークインターフェイス２２を介し、インターネット（ネットワーク２６等）と接続し、例えば、サーバ２７から、上記第１の番組の電子番組表（ＥＰＧ）１００の表示情報を取得する。
【００４７】
また、上述するように、取得された電子番組表（ＥＰＧ）１００の構成情報と第１の番組の電子番組表（ＥＰＧ）１００表示情報を用い、電子番組表（ＥＰＧ）１００を作成する。
【００４８】
そして、作成された電子番組表（ＥＰＧ）１００を表示画面８に出力し、表示する。
【００４９】
図３は、実施形態に係わる映像出力装置の構成を示す図である。
【００５０】
この実施形態においては、上記放送により、提供（スポンサー）により、所定の番組（第１の番組）の提供番組情報が送信される。
【００５１】
そして、この提供番組情報は、上記放送から取得される。
【００５２】
上記と同様に、映像出力装置１のチューナ３において、デジタル放送が受信され、例えば、制御部１１に制御される電子番組表構成情報取得部３１および、第１の番組（提供番組）の情報取得部３２に送信される。
【００５３】
電子番組表構成情報取得部３１は、上記送信されたデジタル放送から上記電子番組表（ＥＰＧ）１００の構成情報を取得し、電子番組表作成部３４に送信する。
【００５４】
また、第１の番組（提供番組）の情報取得部３２は、デジタル放送から上記ＵＲＩ等の第１の番組（提供番組）の情報を取得し、電子番組表作成部３４に送信する。
【００５５】
また、上記のように、この実施形態においては、映像出力装置１は、上記第１の番組（提供番組）の情報（ＵＲＩ等）を用い、ネットワーク部２２を介して、例えば、ネットワーク２６上のサーバ２７に接続する。
【００５６】
そして、ネットワーク部２２に接続する提供情報詳細取得部３３は、例えば、制御部１１に制御され、電子番組表（ＥＰＧ）１００の表示形式に係るＥＰＧ表示情報や自由記述等を取得し、電子番組表作成部３４に送信する。
【００５７】
電子番組表作成部３４は、例えば、制御部１１に制御され、上記それぞれ送信された、上記電子番組表（ＥＰＧ）１００の構成情報、上記ＵＲＩ等の第１の番組（提供番組）の情報、電子番組表（ＥＰＧ）１００の表示形式に係るＥＰＧ表示情報や自由記述等を受信し、図６に示す電子番組表（ＥＰＧ）１００を作成し、表示装置７に向けて出力する。
【００５８】
表示装置７は、上記電子番組表（ＥＰＧ）１００を受信し、例えば、映像表示部８に、この電子番組表（ＥＰＧ）１００を表示出力する。
【００５９】
図４は、実施形態に係わる映像出力装置において、放送から取得される提供番組情報の一例を示す図である。
【００６０】
ここでは、上記放送波から取得する提供番組情報の形式を示している。
【００６１】
また、ここでは、上記提供情報詳細取得部３３で取得されたＵＲＩを用い、ネットワーク部２２経由で情報（サーバ２７）にアクセスする。
【００６２】
そして、アクセスした情報を、再びネットワーク部２２経由で、上記提供情報詳細取得部３３で取得する。
【００６３】
すなわち、図４に示すように、映像出力装置１は、上記放送から、上記放送に含まれる、番組名（ＴＩＴＬＥ）４１、番組開始時間４２、番組終了時間４３、簡単番組説明４４、ＵＲＩ情報４５を取得する。
【００６４】
図５は、実施形態に係わる映像出力装置において、ＵＲＩから取得される提供情報詳細の一例を示す図である。
【００６５】
ここでは、ネットワーク２６経由で取得できる情報を示している。
【００６６】
この実施形態においては、上記電子番組表構成情報取得部３１で取得した電子番組表の構成情報、第１の番組（提供番組）の情報取得部３２で取得し、提供番組情報（ＵＲＩ等）と提供情報詳細取得部（ＥＰＧ表示情報、自由記述等）３３で取得した提供番組詳細情報を、電子番組表作成部３３で合成して作成し、電子番組表（ＥＰＧ）１００として作成する。
【００６７】
そして、作成された電子番組表（ＥＰＧ）１００を電子番組表表示部（表示装置７）で画面８に表示する。
【００６８】
すなわち、この実施形態においては、上記のように取得されたＵＲＩ情報（インターネット上のアドレス）４５を用い、インターネットを介し、例えば、サーバ２７から上記第１の番組の電子番組表表示情報を取得する。
【００６９】
ここでは、例えば、提供会社名や商品説明等の自由記述５１と電子番組表（ＥＰＧ）１００を表示出力する際の表示形式５２が取得される。そして、例えば、電子番組表（ＥＰＧ）１００をＪＰＥＧ等で表示する、等の情報が含まれる。
【００７０】
これらの情報は、図６に示す電子番組表（ＥＰＧ）１００の表示を指示する。
【００７１】
図６は、実施形態に係わる映像出力装置から出力される電子番組表の表示例を示す図である。
【００７２】
この実施形態においては、例えば、電子番組表（ＥＰＧ）１００内で、該当番組「ＸＸＸ番組」の番組欄である部分（第１の番組（提供番組）６１）を、自動的に、ある一定間隔（ユーザが番組を認識できる程度（例えば、０．５秒毎等））で、大きくしたり、通常に戻したり（小さくしたり）を繰り返して表示する。
【００７３】
すなわち、この実施形態においては、上記のように取得された電子番組表（ＥＰＧ）１００の構成情報と、第１の番組の電子番組表表示情報（上記ＵＲＩ等の第１の番組（提供番組）の情報、電子番組表（ＥＰＧ）１００の表示形式に係るＥＰＧ表示情報や自由記述等）を用い、電子番組表を作成し、出力する。
【００７４】
ここでは、第１の番組は、例えば、提供番組である。提供番組とは、例えば、特定の会社や団体により提供（スポンサー）された番組である。
【００７５】
この実施形態においては、例えば、上記放送波の送信形式の一部に上記提供番組情報に係る記述子の規格を設け、電子番組表（ＥＰＧ）１００を表示する際に、その提供番組情報を基に、例えば、上記特定の会社や団体が提供した番組の番組欄を一定間隔で、大きく表示したり、小さく表示したり、あるいは、通常の大きさに表示したり、を繰り返して表示しても良い。
【００７６】
すなわち、この実施形態に係る電子番組表表示は、第１の番組の番組欄６１が目立つように表示する。
【００７７】
図６（ａ）は、電子番組表（ＥＰＧ）１００ａが表示され、例えば、上記特定の会社や団体が提供した、第１の番組の番組欄６１が大きく表示されるようすを示している。
【００７８】
図６（ｂ）は、同様に、電子番組表（ＥＰＧ）１００ａが表示され、例えば、上記特定の会社や団体が提供した、第１の番組の番組欄６１が小さく表示（あるいは、通常の大きさに表示）されるようすを示している。
【００７９】
そして、例えば、この実施形態は、図６（ａ）および図６（ｂ）の表示を一定間隔で、繰り返して表示する。
【００８０】
また、このとき、図５に示す上記自由記述５１を用い、図６（ａ）および図６（ｂ）に示すように、会社名や商品説明等を表示することも可能である。
【００８１】
なお、上記提供番組は、番組提供者の表示に限られることはなく、番組提供者以外の表示も目立つように表示することができる。
【００８２】
図７は、実施形態に係わる映像出力装置から出力表示される、電子番組表の表示を設定可能な入力画面表示の一例を示す図である。
【００８３】
上記繰り返し表示を行うモードは、例えば、メニュー表示等からＯＮ／ＯＦＦ設定することが可能である。
【００８４】
ここでは、映像出力装置１に構成される表示画面８に、上記繰り返し表示モードのＯＮ／ＯＦＦ設定を行なう入力画面表示７１が表示される。
【００８５】
ユーザは、例えば、リモコン２１を操作し、この入力画面表示７１を見ながら、上記繰り返し表示モードのＯＮ／ＯＦＦ設定を行なう。この設定は、例えば、フラッシュメモリ１５に記憶される。
【００８６】
ここで、上記繰り返し表示モードがＯＮ設定されると、上記図６に示すように、表示画面８に電子番組表（ＥＰＧ）１００を表示し、例えば、この電子番組表（ＥＰＧ）１００内で、該当番組「ＸＸＸ番組」の番組欄である部分（第１の番組（提供番組）６１）を、自動的に、ある一定間隔（ユーザが番組を認識できる程度（例えば、０．５秒毎等））で、大きくしたり、通常に戻したり（小さくしたり）を繰り返して表示する。
【００８７】
また、上記繰り返し表示モードがＯＦＦ設定されると、上記図６（ａ）に示すように、該当番組「ＸＸＸ番組」の番組欄（第１の番組（提供番組）６１）を大きく表示する。あるいは、該当番組「ＸＸＸ番組」の番組欄（第１の番組（提供番組）６１）を通常サイズあるいは小さく表示する。
【００８８】
これにより、例えば、上記図６に示す表示のＯＮ／ＯＦＦ等を、ユーザ操作によって切り替えることが可能になる。
【００８９】
図８は、実施形態に係わる映像出力装置の動作を説明するフローチャートである。
【００９０】
ステップＳ１００はここでの開始ステップである。続いて、ステップＳ１０１に進む。
【００９１】
ステップＳ１０１は、ステップである。続いて、ステップＳ１０に進む。
【００９２】
ステップＳ１０１は、上記のように、チューナ３で放送を受信するステップである。続いて、ステップＳ１０２に進む。
【００９３】
ステップＳ１０２は、上記受信した放送から上記電子番組表（ＥＰＧ）の構成情報と第１の番組（提供番組）のＵＲＩ情報等を取得し、例えば、フラッシュメモリ１５に記憶するステップである。続いて、ステップＳ１０３に進む。
【００９４】
ステップＳ１０３は、例えば、上記フラッシュメモリ１５に記憶された上記第１の番組（提供番組）のＵＲＩ情報を用い、ネットワーク部２２を介して、ネットワーク（インターネット等）２６に接続するサーバ２７に接続するステップである。続いて、ステップＳ１０４に進む。
【００９５】
ステップＳ１０４は、上記映像出力装置１と接続されたサーバ２７から第１の番組（提供番組）の提供情報詳細（ＥＰＧ表示情報、自由記述等）を取得するステップである。続いて、ステップＳ１０５に進む。
【００９６】
ステップＳ１０５は、上記電子番組表構成情報と取得された提供情報詳細（ＥＰＧ表示情報、自由記述等）を用い、電子番組表（ＥＰＧ）を作成するステップである。続いて、ステップＳ１０６に進む。
【００９７】
ステップＳ１０６は、表示装置７に、上記作成された電子番組表（ＥＰＧ）１００（例えば、図６の交互の表示等）を表示出力するステップである。続いて、ステップＳ１０７に進む。
【００９８】
ステップＳ１０７は、ここでの終了ステップであり、ここでの処理は終了する。
【００９９】
すなわち、この実施形態においては、例えば、放送局２５から送信された放送をチューナ３で受信し、この受信した放送から電子番組表（ＥＰＧ）１００の構成情報と上記電子番組表（ＥＰＧ）１００に表示される第１の番組のＵＲＩ情報４５を取得する。
【０１００】
また、上記取得されたＵＲＩ情報４５を用い、インターネットを介して上記第１の番組の電子番組表表示情報を取得する。
【０１０１】
また、上記取得された前記電子番組表の構成情報と上記第１の番組の電子番組表表示情報を用いて作成された電子番組表を出力する電子番組表出力部を備える。
【０１０２】
また、上記第１の番組の電子番組表表示情報は、上記第１の番組の番組欄６１が目立つように表示する情報である。
【０１０３】
また、上記第１の番組の番組欄が目立つように表示する情報は、第１の表示（図６（ａ））と第２の表示（図６（ｂ））を交互に繰り返して表示する。
【０１０４】
また、上記出力された電子番組表（ＥＰＧ）１００を表示する表示部８を備える。
【０１０５】
また、上記ＵＲＩ情報は、例えば、インターネット上のアドレスである。
【０１０６】
また、上記第１の番組は、上記提供番組を含む。
【０１０７】
また、上記放送は上記第１の番組のＵＲＩ情報４５を含む。
【０１０８】
また、上記電子番組表の表示を設定可能な入力画面表示を、例えば、表示画面８に出力する。
【０１０９】
このように、この実施形態においては、例えば、上記放送波の送信形式の一部に上記提供番組情報に係る記述子の規格を設け、電子番組表（ＥＰＧ）１００を表示する際に、その提供番組情報を基に、例えば、上記特定の会社や団体が提供した番組の番組欄を一定間隔で、大きく表示したり、小さく表示したり、あるいは、通常の大きさに表示したり、を繰り返して表示することが可能になる。
【０１１０】
これにより、この実施形態においては、例えば、電子番組表（ＥＰＧ）の表示において、番組欄を目立つようにすることが可能になる。
【０１１１】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１１２】
なお、上記実施形態は、記述そのものに限定されるものではなく、実施段階では、その趣旨を逸脱しない範囲で、構成要素を種々変形して具体化することが可能である。
【０１１３】
また、上記実施形態に開示されている複数の構成要素の適宜な組み合せにより種々の発明を形成できる。
【０１１４】
例えば、実施形態に示される全構成要素から幾つかの構成要素を削除してもよい。更に、異なる実施形態に亘る構成要素を適宜組み合せてもよい。
【符号の説明】
【０１１５】
１…映像出力装置、８…表示画面、１００…電子番組表（ＥＰＧ）、１９…外部記録機器、２１…リモートコントローラ（リモコン）、６１…第１の番組（提供番組）。
【図１】
2013131863.tif 000003
【図２】
2013131863.tif 000004
【図３】
2013131863.tif 000005
【図４】
2013131863.tif 000006
【図５】
2013131863.tif 000007
【図６】
2013131863.tif 000008
【図７】
2013131863.tif 000009
【図８】
2013131863.tif 000010